(57)【特許請求の範囲】
【請求項１】
複数の広告動画データを相互に識別する広告識別情報を、前記広告動画データのメタデータに対応付けて記憶するメタデータ記憶手段と、
外部に設置されたセンターサーバから、いずれかの前記広告動画データを、前記広告識別情報及び前記メタデータに対応付けて受信する広告受信手段と、
前記広告受信手段が受信した前記広告識別情報に対応する前記メタデータを、前記メタデータ記憶手段から読み出すメタデータ読出手段と、
前記メタデータ読出手段が読み出した前記メタデータと、前記広告受信手段が受信した前記メタデータとが一致したときに、前記広告受信手段が受信した前記広告動画データを広告管理サーバに送信し、前記広告管理サーバに記憶させる広告送信手段と、
を備える放送局システム。
【請求項２】
請求項１に記載の放送局システムにおいて、
前記メタデータは、前記広告動画データのタイトル及び再生時間を含む放送局システム。
【請求項３】
請求項１又は２に記載の放送局システムにおいて、
前記メタデータ読出手段が読み出した前記メタデータと、前記広告受信手段が受信した前記メタデータとが一致しないときに、前記メタデータ読出手段が読み出した前記メタデータ及び前記広告受信手段が受信した前記メタデータを表示する表示手段をさらに備える放送局システム。
【請求項４】
請求項３に記載の放送局システムにおいて、
前記表示手段が２つの前記メタデータを表示した後に、前記放送局システムのユーザからの入力を受け付け、当該入力に従って、前記メタデータ記憶手段が記憶している前記メタデータを前記広告受信手段が受信した前記メタデータに更新すると共に、前記広告管理サーバに、前記広告受信手段が受信した前記広告動画データを前記広告識別情報に対応付けて記憶させるエラー処理手段をさらに備える放送局システム。
【請求項５】
請求項１〜４のいずれか一項に記載の放送局システムにおいて、
前記広告受信手段は、前記広告動画データを当該広告動画データを制作した制作会社を特定する制作会社識別情報に対応付けて受信し、
前記メタデータ読出手段が読み出した前記メタデータと、前記広告受信手段が受信した前記メタデータとが一致しないときに、前記メタデータに対応する前記広告識別情報を、前記メタデータが一致しないことを示す不一致情報と、前記広告受信手段が受信した前記制作会社識別情報と、に対応付けて前記センターサーバに送信するエラー処理手段をさらに備える放送局システム。
【請求項６】
請求項１〜５のいずれか一項に記載の放送局システムにおいて、
前記広告受信手段が受信した前記広告動画データを、前記広告識別情報及び前記メタデータに対応付けて記憶する広告記憶手段をさらに備え、
前記メタデータ読出手段及び前記広告送信手段は、予め定められた時刻に動作する放送局システム。
【請求項７】
請求項１〜５のいずれか一項に記載の放送局システムにおいて、
前記広告受信手段が受信した前記広告動画データを、前記広告識別情報及び前記メタデータに対応付けて記憶する広告記憶手段をさらに備え、
前記メタデータ読出手段及び前記広告送信手段は、前記放送局システムのユーザから前記放送局システムに、処理を行う旨の入力があったときに動作する放送局システム。
【請求項８】
請求項１〜５のいずれか一項に記載の放送局システムにおいて、
前記メタデータ読出手段及び前記広告送信手段は、前記広告受信手段が前記広告動画データ、前記広告識別情報、及び前記メタデータを受信するたびに処理を行う放送局システム。
【請求項９】
請求項１〜８のいずれか一項に記載の放送局システムにおいて、
前記メタデータ読出手段が読み出した前記メタデータと、前記広告受信手段が受信した前記メタデータとが一致しないときに、前記広告受信手段が受信した前記広告動画データのサムネイル画像データを生成し、前記サムネイル画像データを表示するサムネイル表示手段をさらに備える放送局システム。
【請求項１０】
放送局に設置される放送局システムと、
複数の広告動画データを記憶しており、前記放送局システムに前記広告動画データを送信するセンターサーバと、
を備え、
前記放送局システムは、
複数の広告動画データを相互に識別する広告識別情報を、前記広告動画データのメタデータに対応付けて記憶するメタデータ記憶手段と、
前記センターサーバから、いずれかの前記広告動画データを、前記広告識別情報及び前記メタデータに対応付けて受信する広告受信手段と、
前記広告受信手段が受信した前記広告識別情報に対応する前記メタデータを、前記メタデータ記憶手段から読み出すメタデータ読出手段と、
前記メタデータ読出手段が読み出した前記メタデータと、前記広告受信手段が受信した前記メタデータとが一致したときに、前記広告受信手段が受信した前記広告動画データを広告管理サーバに送信し、前記広告管理サーバに記憶させる広告送信手段と、
を備える広告管理システム。
【請求項１１】
請求項１０に記載の広告管理システムにおいて、
前記広告動画データを制作する制作会社に設置され、前記センターサーバに前記広告動画データを送信する制作会社端末をさらに備える広告管理システム。
【請求項１２】
請求項１１に記載の広告管理システムにおいて、
複数の前記制作会社端末を有しており、
前記複数の制作会社端末それぞれは、当該制作会社端末が設置されている前記制作会社を特定する制作会社識別情報に対応付けられており、
前記制作会社端末は、前記広告動画データを当該制作会社端末の前記制作会社識別情報に対応付けて前記センターサーバに送信し、
前記センターサーバは、前記広告動画データを前記制作会社識別情報に対応付けて前記放送局システムに送信し、
前記放送局システムは、前記メタデータ読出手段が読み出した前記メタデータと、前記広告受信手段が受信した前記メタデータとが一致しないときに、前記メタデータに対応する前記広告識別情報を、前記メタデータが一致しないことを示す不一致情報と、前記広告受信手段が受信した前記制作会社識別情報と、に対応付けて前記センターサーバに送信するエラー処理手段を有し、
前記センターサーバは、前記放送局システムの前記エラー処理手段から前記広告識別情報、前記不一致情報、及び前記制作会社識別情報を受信したときに、受信した前記制作会社識別情報に対応する前記制作会社端末に前記広告識別情報を送信するセンター側エラー処理手段を備える広告管理システム。
【請求項１３】
コンピュータシステムに、複数の広告動画データを相互に識別する広告識別情報を、前記広告動画データのメタデータに対応付けて記憶するメタデータ記憶手段を設け、
前記コンピュータシステムに、外部に設置されたセンターサーバから、いずれかの前記広告動画データを、前記広告識別情報及び前記メタデータに対応付けて受信させ、
前記コンピュータシステムに、受信した前記広告識別情報に対応する前記メタデータを、前記メタデータ記憶手段から読み出させ、
前記コンピュータシステムに、読み出した前記メタデータと、受信した前記メタデータとが一致したときに、受信した前記広告動画データを広告管理サーバに送信させて、前記広告管理サーバに記憶させる広告管理方法。
【請求項１４】
コンピュータシステムを、広告管理用の放送局システムとして機能させるためのプログラムであって、
前記コンピュータシステムに、
複数の広告動画データを相互に識別する広告識別情報を、前記広告動画データのメタデータに対応付けて記憶する機能と、
外部に設置されたセンターサーバから、いずれかの前記広告動画データを、前記広告識別情報及び前記メタデータに対応付けて受信する機能と、
前記コンピュータシステムが記憶している前記メタデータのうち、受信した前記広告識別情報に対応する前記メタデータを読み出す機能と、
読み出した前記メタデータと、受信した前記メタデータとが一致したときに、受信した前記広告動画データを広告管理サーバに送信し、前記広告管理サーバに記憶させる機能と、
を実現させるプログラム。
【発明の詳細な説明】
【技術分野】
【０００１】
本発明は、放送局から広告として放送される広告動画データを管理する放送局システム、広告管理システム、広告管理方法、及びプログラムに関する。
【背景技術】
【０００２】
放送局で広告として放送される広告動画データは、広告動画データを制作した制作会社で一つずつビデオテープに記録されている。そして広告動画データは、ビデオテープを媒体として広告会社から放送局に納品されている。
【０００３】
一方、近年は、ネットワークを介して映画等のコンテンツをレンタルする技術の開発が進んでいる。例えば特許文献１には、レンタル期間を経過した場合に利用者端末からコンテンツのデータを消去することが記載されている。
【０００４】
また特許文献２には、番組やコマーシャルなどの放送素材を扱うシステムにおいて、放送予定の放送素材と放送結果の放送素材とが一致していることを確認できるようにすることが記載されている。
【先行技術文献】
【特許文献】
【０００５】
【特許文献１】特開２００３−２８８５３８号公報
【特許文献１】特開２００６−１８０２３４号公報
【発明の概要】
【発明が解決しようとする課題】
【０００６】
広告動画データの管理を効率化するためには、広告動画データの媒体をオンラインにすることが望まれる。一方、広告の数は非常に多いため、広告動画データが誤って納品される可能性がある。
【０００７】
本発明の目的は、広告動画データが誤って納品されることを抑制できる放送局システム、広告管理システム、広告管理方法、及びプログラムを提供することにある。
【課題を解決するための手段】
【０００８】
本発明によれば、複数の広告動画データを相互に識別する広告識別情報を、前記広告動画データのメタデータに対応付けて記憶するメタデータ記憶手段と、
外部に設置されたセンターサーバから、いずれかの前記広告動画データを、前記広告識別情報及び前記メタデータに対応付けて受信する広告受信手段と、
前記広告受信手段が受信した前記広告識別情報に対応する前記メタデータを、前記メタデータ記憶手段から読み出すメタデータ読出手段と、
前記メタデータ読出手段が読み出した前記メタデータと、前記広告受信手段が受信した前記メタデータとが一致したときに、前記広告受信手段が受信した前記広告動画データを広告管理サーバに送信し、前記広告管理サーバに記憶させる広告送信手段と、
を備える放送局システムが提供される。
【０００９】
本発明によれば、放送局に設置される放送局システムと、
複数の広告動画データを記憶しており、前記放送局システムに前記広告動画データを送信するセンターサーバと、
を備え、
前記放送局システムは、
複数の広告動画データを相互に識別する広告識別情報を、前記広告動画データのメタデータに対応付けて記憶するメタデータ記憶手段と、
前記センターサーバから、いずれかの前記広告動画データを、前記広告識別情報及び前記メタデータに対応付けて受信する広告受信手段と、
前記広告受信手段が受信した前記広告識別情報に対応する前記メタデータを、前記メタデータ記憶手段から読み出すメタデータ読出手段と、
前記メタデータ読出手段が読み出した前記メタデータと、前記広告受信手段が受信した前記メタデータとが一致したときに、前記広告受信手段が受信した前記広告動画データを広告管理サーバに送信し、前記広告管理サーバに記憶させる広告送信手段と、
を備える広告管理システムが提供される。
【００１０】
本発明によれば、コンピュータシステムに、複数の広告動画データを相互に識別する広告識別情報を、前記広告動画データのメタデータに対応付けて記憶するメタデータ記憶手段を設け、
前記コンピュータシステムに、外部に設置されたセンターサーバから、いずれかの前記広告動画データを、前記広告識別情報及び前記メタデータに対応付けて受信させ、
前記コンピュータシステムに、受信した前記広告識別情報に対応する前記メタデータを、前記メタデータ記憶手段から読み出させ、
前記コンピュータシステムに、読み出した前記メタデータと、受信した前記メタデータとが一致したときに、受信した前記広告動画データを広告管理サーバに送信させて、前記広告管理サーバに記憶させる広告管理方法が提供される。
【００１１】
本発明によれば、コンピュータシステムを、広告管理用の放送局システムとして機能させるためのプログラムであって、
前記コンピュータシステムに、
複数の広告動画データを相互に識別する広告識別情報を、前記広告動画データのメタデータに対応付けて記憶する機能と、
外部に設置されたセンターサーバから、いずれかの前記広告動画データを、前記広告識別情報及び前記メタデータに対応付けて受信する機能と、
前記コンピュータシステムが記憶している前記メタデータのうち、受信した前記広告識別情報に対応する前記メタデータを読み出す機能と、
読み出した前記メタデータと、受信した前記メタデータとが一致したときに、受信した前記広告動画データを広告管理サーバに送信し、前記広告管理サーバに記憶させる機能と、
を実現させるプログラムが提供される。
【発明の効果】
【００１２】
本発明によれば、広告動画データが誤って納品されることを抑制できる。
【図面の簡単な説明】
【００１３】
【図１】第１の実施形態に係る広告管理システムの構成を示すブロック図である。
【図２】放送局端末および営放システムの機能構成を、広告管理サーバと共に示すブロック図である。
【図３】放送局端末の広告記憶部が記憶しているデータをテーブル形式で示す図である。
【図４】営放システムのメタデータ記憶部が記憶しているデータをテーブル形式で示す図である。
【図５】センターサーバの機能構成を示すブロック図である。
【図６】広告情報記憶部が記憶しているデータをテーブル形式で示す図である。
【図７】センターサーバが制作会社端末から広告動画データを受信した後の動作を示すフローチャートである。
【図８】図７に示したエラー処理（ステップＳ１００）の詳細を示すフローチャートである。
【図９】第２の実施形態に係る広告管理システムが有する放送局システムの機能構成を示すブロック図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
（第１の実施形態）
図１は、第１の実施形態に係る広告管理システムの構成を示すブロック図である。この広告管理システムは、放送局システム１０及びセンターサーバ２００を備えている。放送局は複数あり、放送局システム１０は複数の放送局それぞれに設置されている。放送局システム１０は、放送局端末１００、営放システム５００、及び広告管理サーバ６００を備えている。センターサーバ２００は、複数の広告会社端末３００及び複数の放送局端末１００それぞれに接続している。広告会社端末３００は複数の広告会社それぞれに設置されている。
【００１６】
複数の放送局端末１００それぞれは、その放送局端末１００が設置されている放送局を特定する放送局識別情報に対応付けられている。また複数の広告会社端末３００それぞれは、その広告会社端末３００が設置されている広告会社を特定する広告会社識別情報に対応付けられている。
【００１７】
放送局システム１０の営放システム５００は、複数の広告動画データを相互に識別する広告識別情報を、広告動画データのメタデータに対応付けて予め記憶している。そして放送局端末１００は、センターサーバ２００から、いずれかの広告動画データを、広告識別情報及びメタデータに対応付けて受信する。そして営放システム５００は、放送局端末１００が受信した広告識別情報に対応するメタデータを読み出す。そして、営放システム５００が読み出したメタデータと、放送局端末１００が受信したメタデータとが一致したときに、放送局端末１００は、受信した広告動画データを広告管理サーバ６００に送信し、広告管理サーバ６００に記憶させる。広告動画データ及びメタデータは、例えばＭＸＦ（Media Exchange Format）形式で送信される。以下、詳細に説明する。
【００１８】
本実施形態に係る広告管理システムは、さらに制作会社端末４００を備えている。制作会社端末４００は複数の制作会社それぞれに設置されており、センターサーバ２００に接続している。複数の制作会社端末４００それぞれは、その制作会社端末４００が設置されている制作会社を特定する制作会社識別情報に対応付けられている。制作会社で作成された広告動画データは、まず、制作会社端末４００を介してセンターサーバ２００に送信され、センターサーバ２００に記憶される。
【００１９】
営放システム５００は、放送スケジュールなども管理している。また広告管理サーバ６００は、営放システム５００からの指示に基づいて、放送局端末１００に対し、広告動画データを要求し、かつ放送局端末１００から送信された広告動画データを記憶する。広告管理サーバ６００に記憶されている広告動画データは、放送時に使用される。
【００２０】
なおセンターサーバ２００と各端末は、専用線で接続されていてもよいし、インターネット等の公衆通信網を介して接続されていてもよい。また本実施形態において、複数の広告会社端末３００及び営放システム５００も、広告管理システムの一部となっている。
【００２１】
図２は、放送局内で使用される放送局端末１００および営放システム５００の機能構成を、広告管理サーバ６００と共に示すブロック図である。
【００２２】
放送局端末１００は、広告受信部１１０、広告記憶部１２０、メタデータ送信部１３０、広告送信部１４０、及びエラー送信部１５０を備えている。広告受信部１１０は、新たに使用される広告動画データを、広告識別情報及びメタデータに対応付けてセンターサーバ２００から受信する。メタデータは、その広告動画データに関する各種の情報であり、例えば広告識別情報、その広告のタイトル、広告動画データの再生時間、広告主を特定する情報、広告会社を特定する情報（例えば広告会社識別情報）、及び制作会社を特定する情報を含んでいる。広告記憶部１２０は、広告受信部１１０が受信した広告動画データ、広告識別情報、及びメタデータを互いに対応付けて記憶している。メタデータ送信部１３０は、広告記憶部１２０に新たに記憶された広告動画データの広告識別情報及びメタデータを、営放システム５００に送信する。広告送信部１４０は、広告管理サーバ６００からの要求に応じて、広告記憶部１２０が記憶している広告動画データを広告管理サーバ６００に送信する。
【００２３】
エラー送信部１５０は、営放システム５００が読み出したメタデータと、広告受信部１１０が受信したメタデータとが一致しないときに、２つのメタデータが一致しなかったことを示す不一致情報を、広告識別情報に対応付けてセンターサーバ２００に送信する。また広告受信部１１０は、広告動画データに対応付けて、その広告動画データを制作した制作会社の制作会社識別情報も受信している。そしてエラー送信部１５０は、不一致情報と共に、広告受信部１１０が受信した制作会社識別情報もセンターサーバ２００に送信する。
【００２４】
また営放システム５００は、メタデータ記憶部５１０、メタデータ読出部５２０、指令送信部５３０、エラー処理部５４０、及び表示部５５０を備えている。メタデータ記憶部５１０は、複数の広告動画データのメタデータ、及びその広告動画データを広告管理サーバ６００が取得済みか否かを示す情報を記憶している。メタデータ記憶部５１０が記憶しているメタデータは、放送局端末１００から取得したデータではなく、例えば広告ＥＤＩセンターが提供しているＥＤＩ（Electronic Data Interchange）データから取得したデータ、または手入力により営放システム５００に入力されたデータである。
【００２５】
メタデータ読出部５２０は、放送局端末１００のメタデータ送信部１３０から送信されてきた広告識別情報及びメタデータを受信する。そしてメタデータ読出部５２０は、受信した広告識別情報に対応するメタデータをメタデータ記憶部５１０から読み出し、読み出したメタデータがメタデータ送信部１３０から受信したメタデータに一致するか否かを判断する。指令送信部５３０は、２つのメタデータが一致したときに、そのメタデータに対応する広告動画データを広告管理サーバ６００に取得させる。
【００２６】
エラー処理部５４０は、２つのメタデータが一致しなかったときに、エラー処理を行う。具体的には、エラー処理部５４０はエラーに関する表示を表示部５５０に行わせると共に、エラー送信部１５０に、エラーとなったメタデータに対応する広告識別情報を送信する。
【００２７】
なお、放送局端末１００及び営放システム５００の動作の詳細については、フローチャートを用いて後述する。
【００２８】
図３は、放送局端末１００の広告記憶部１２０が記憶しているデータをテーブル形式で示す図である。広告記憶部１２０は、広告識別情報に対応付けて、広告動画データ、メタデータ、及び広告動画データを作成した制作会社の制作会社識別情報を互いに対応付けて記憶している。本図に示す例においてメタデータには、その広告動画データを管理している広告会社の広告会社識別情報、タイトル、及び広告動画データの再生時間が含まれている。
【００２９】
図４は、営放システム５００のメタデータ記憶部５１０が記憶しているデータをテーブル形式で示す図である。メタデータ記憶部５１０は、広告識別情報に対応付けて、その広告識別情報が示す広告動画データのメタデータ、広告動画データを放送すべき契約期間、及び広告管理サーバ６００が記憶済みであるか否かを示す情報を記憶している。なおメタデータ記憶部５１０は、さらに放送局端末１００が広告動画データを記憶済みであるか否かを示す情報を、その広告動画データの広告識別情報に対応付けて記憶していてもよい。
【００３０】
図５は、センターサーバ２００の機能構成を示すブロック図である。センターサーバ２００は、広告受信部２１０、広告情報記憶部２２０、広告送信部２３０、センター側エラー処理部２４０、及び更新結果送信部２５０を備えている。広告受信部２１０は、制作会社端末４００から、広告動画データを、その広告動画データの広告識別情報、メタデータ、及び制作会社識別情報に対応付けて受信する。
【００３１】
広告情報記憶部２２０は、広告受信部２１０が受信した広告動画データを広告識別情報に対応付けて記憶する。また広告情報記憶部２２０は、広告識別情報を、その広告動画データを管理している広告会社の広告会社識別情報と、その広告動画データを送信すべき放送局の放送局識別情報に対応付けて記憶している。これら広告会社識別情報及び放送局識別情報は、予め広告情報記憶部２２０に記憶されている。ただしこれら広告会社識別情報及び放送局識別情報は、広告受信部２１０が受信するメタデータに含まれていてもよい。
【００３２】
広告送信部２３０は、広告動画データをメタデータに対応付けて放送局端末１００に送信する。センター側エラー処理部２４０は、放送局端末１００のエラー送信部１５０から広告識別情報、不一致情報、及び制作会社識別情報を受信したときに、受信した制作会社識別情報に対応する制作会社端末４００に広告識別情報を送信する。更新結果送信部２５０は、広告情報記憶部２２０の更新結果を広告会社端末３００に送信する。
【００３３】
図６は、広告情報記憶部２２０が記憶しているデータをテーブル形式で示す図である。広告情報記憶部２２０は、広告識別情報に対応付けて、その広告識別情報に対応する広告動画データを管理する広告会社の広告会社識別情報、その広告識別情報に対応する広告動画データを制作する制作会社の制作会社識別情報、その広告動画データのメタデータ（タイトル及び再生時間を含む）、及び、広告動画データを送信すべき放送局の放送局識別情報を記憶している。また広告情報記憶部２２０は、広告動画データを制作会社端末４００から受信している場合には、その広告動画データを広告識別情報に対応付けて記憶している。
【００３４】
なお、図２に示した放送局端末１００及び営放システム５００の各構成要素、並びに図５に示したセンターサーバ２００の各構成要素は、ハードウエア単位の構成ではなく、機能単位のブロックを示している。放送局端末１００、センターサーバ２００、及び営放システム５００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例がある。また制作会社端末４００及び広告管理サーバ６００についても同様である。
【００３５】
図７は、図１に示した広告管理システムにおいて、センターサーバ２００が制作会社端末４００から広告動画データを受信した後の動作を示すフローチャートである。センターサーバ２００の広告受信部２１０は、広告動画データ、メタデータ、広告識別情報、及び制作会社識別情報を制作会社端末４００から受信する（ステップＳ１０）。広告受信部２１０は、受信した広告識別情報、制作会社識別情報、及びメタデータの組み合わせが広告情報記憶部２２０に記憶されている情報に一致したときに、広告動画データを、受信した広告識別情報に対応付けて広告情報記憶部２２０に記憶させる（ステップＳ２０）。そして広告受信部２１０は、受信した広告識別情報を広告送信部２３０に出力する。
【００３６】
広告送信部２３０は、広告受信部２１０から受信した広告識別情報に対応する放送局識別情報、広告動画データ、メタデータ、及び制作会社識別情報を、広告情報記憶部２２０から読み出す（ステップＳ３０）。そして広告送信部２３０は、読み出した広告動画データ、メタデータ、及び制作会社識別情報を、広告識別情報に対応付けて、読み出した放送局識別情報に対応する放送局端末１００に送信する（ステップＳ４０）。
【００３７】
放送局端末１００の広告受信部１１０は、センターサーバ２００の広告送信部２３０から、広告動画データ、広告識別情報、制作会社識別情報、及びメタデータを受信すると、受信した広告動画データ、広告識別情報、制作会社識別情報、及びメタデータを広告記憶部１２０に記憶させる（ステップＳ５０）。そしてメタデータ送信部１３０は、予め定められた時刻になると、新たに広告記憶部１２０に記憶された広告識別情報及びそれに対応するメタデータを、営放システム５００に送信する（ステップＳ６０）。
【００３８】
なおステップＳ６０に示した処理は、営放システム５００のユーザから営放システム５００に処理を行う旨の入力があり、その入力があったことを示す情報が営放システム５００から放送局端末１００に送信されることを条件に、行われてもよい。またステップＳ６０に示した処理は、広告受信部１１０が広告動画データ、広告識別情報、及びメタデータを受信するたびに行われてもよい。
【００３９】
営放システム５００のメタデータ読出部５２０は、放送局端末１００のメタデータ送信部１３０から広告識別情報及びメタデータを受信する。次いでメタデータ読出部５２０は、メタデータ記憶部５１０に接続し、受信した広告識別情報に対応するメタデータを読み出す（ステップＳ７０）。次いでメタデータ読出部５２０は、読み出したメタデータが、メタデータ送信部１３０から受信したメタデータに完全一致するか否かを確認する。完全一致した場合（ステップＳ８０：Ｙｅｓ）、指令送信部５３０は、広告管理サーバ６００に、ステップＳ６０で送信された広告識別情報を、この広告識別情報に対応する広告動画データを放送局端末１００から取得する旨を示す取得指令と共に、広告管理サーバ６００に送信する（ステップＳ９０）。
【００４０】
また読み出したメタデータと、メタデータ送信部１３０から受信したメタデータとが完全一致しない場合（ステップＳ８０：Ｎｏ）、エラー処理が行われる（ステップＳ１００）。
【００４１】
そして広告管理サーバ６００は、広告識別情報を取得指令に対応付けて受信すると、受信した広告識別情報を、その広告識別情報に対応する広告動画データを要求する旨を示す要求情報と共に、放送局端末１００の広告送信部１４０に送信する。広告送信部１４０は、受信した広告識別情報に対応する広告動画データを広告記憶部１２０から読みだして広告管理サーバ６００に送信する。広告管理サーバ６００は、受信した広告動画データを広告識別情報に対応付けて記憶する。
【００４２】
なおメタデータのチェック結果は、必要に応じて紙に印字されてもよい。
【００４３】
図８は、図７に示したエラー処理（ステップＳ１００）の詳細を示すフローチャートである。まずエラー処理部５４０は、メタデータ読出部５２０から、メタデータ読出部５２０が読み出したメタデータと、メタデータ送信部１３０から受信したメタデータとを取得する。そしてエラー処理部５４０は、取得した２つのメタデータを並べて表示部５５０に表示させる（ステップＳ１０２）。
【００４４】
営放システム５００のユーザは、表示部５５０に表示された２つのメタデータを見ることにより、いずれのメタデータが誤っているかを判断する。そして営放システム５００のユーザは、営放システム５００の入力部に、指示情報を入力する。ここで入力される指示情報には、例えばメタデータ送信部１３０から受信したメタデータが正しいことを示す情報、又はメタデータ読出部５２０が読み出したメタデータが正しいことを示す情報が含まれる（ステップＳ１０４）。
【００４５】
そしてエラー処理部５４０は、メタデータ送信部１３０から受信したメタデータが正しいことを示す情報が入力されたときに、メタデータ記憶部５１０が記憶しているメタデータを、メタデータ送信部１３０から受信したメタデータに更新する。またこのときメタデータ読出部５２０は、広告管理サーバ６００に、ステップＳ６０で送信された広告識別情報を、上述した取得指令とともに送信する（ステップＳ１０６）。
【００４６】
メタデータ読出部５２０が読み出したメタデータが正しいことを示す情報が指示情報として入力された場合、エラー処理部５４０は、不一致情報の送信指令を、ステップＳ６０でメタデータ読出部５２０が受信した広告識別情報に対応付けて、放送局端末１００のエラー送信部１５０に送信する（ステップＳ１０８）。
【００４７】
放送局端末１００のエラー送信部１５０は、受信した広告識別情報に対応する制作会社識別情報を広告記憶部１２０から読み出し、読み出した制作会社識別情報を、ステップＳ１０８で受信した広告識別情報、及び不一致情報に対応付けてセンターサーバ２００に送信する（ステップＳ１１０）。
【００４８】
センターサーバ２００のセンター側エラー処理部２４０は、放送局端末１００のエラー送信部１５０から広告識別情報、不一致情報、及び制作会社識別情報を受信すると、受信した制作会社識別情報に対応する制作会社端末４００に広告識別情報を送信する（ステップＳ１１２）。このときセンター側エラー処理部２４０は、不一致情報を受信したことを示す情報を、不一致情報と共に受信した広告識別情報に対応付けて広告情報記憶部２２０に記憶させてもよい。
【００４９】
次に、本実施形態の作用及び効果について説明する。本実施形態によれば、営放システム５００は、予め広告動画データのメタデータを、その広告動画データの広告識別情報に対応付けて記憶している。またセンターサーバ２００は、広告動画データを放送局端末１００に送信するとき、メタデータも放送局端末１００に送信する。そして営放システム５００は、予め記憶しているメタデータと、放送局端末１００が受信したメタデータが一致したときに、広告動画データを広告管理サーバ６００に記憶させる。従って、広告動画データが誤って放送局に納品されることを抑制できる。特にメタデータにはその広告動画データのタイトル及び再生時間が含まれているため、広告動画データが誤って放送局に納品されることをさらに抑制できる。
【００５０】
また営放システム５００は、予め記憶しているメタデータと、放送局端末１００が受信したメタデータが一致しないときに、その２つのメタデータを表示する。このため、営放システム５００のユーザは、２つのメタデータのいずれが誤っているかを推定することができる。
【００５１】
そして営放システム５００は、予め記憶しているメタデータが誤っている場合、このメタデータを放送局端末１００が受信したメタデータに更新することができる。
【００５２】
また放送局端末１００は、予め記憶しているメタデータと、放送局端末１００が受信したメタデータが一致しないときに、そのメタデータに対応する広告識別情報及び制作会社識別情報を、センターサーバ２００に送信する。このため、センターサーバ２００は、いずれの制作会社で制作された広告動画データが誤って納品されるかをすばやく認識することができる。
【００５３】
（第２の実施形態）
図９は、第２の実施形態に係る広告管理システムが有する放送局システム１０の機能構成を示すブロック図である。本実施形態に示す広告管理システムは、放送局端末１００がサムネイル生成部１６０を有している点を除いて、第１の実施形態に係る広告管理システムと同様の構成である。
【００５４】
サムネイル生成部１６０は、広告送信部１４０が広告動画データを広告管理サーバ６００に送信する前に、広告受信部１１０が受信した広告動画データのサムネイル画像データを生成し、サムネイル画像データを営放システム５００の表示部５５０に表示させる。サムネイル生成部１６０は、エラー処理部５４０から、エラー処理部５４０が処理を行っているメタデータに対応する広告識別情報を受信し、受信した広告識別情報に対応する広告動画データのサムネイル画像を生成する。
【００５５】
本実施形態によっても、第１の実施形態と同様の効果を得ることができる。またメタデータ読出部５２０が読み出したメタデータと、広告受信部１１０が受信したメタデータとが一致しないときに、表示部５５０には広告動画データのサムネイル画像が表示される。このため、営放システム５００のユーザは、いずれのメタデータが誤っているかを判断しやすくなる。
【００５６】
以上、図面を参照して本発明の実施形態について述べたが、これらは本発明の例示であり、上記以外の様々な構成を採用することもできる。
【符号の説明】
【００５７】
１０ 放送局システム
１００ 放送局端末
１１０ 広告受信部
１２０ 広告記憶部
１３０ メタデータ送信部
１４０ 広告送信部
１５０ エラー送信部
１６０ サムネイル生成部
２００ センターサーバ
２１０ 広告受信部
２２０ 広告情報記憶部
２３０ 広告送信部
２４０ センター側エラー処理部
２５０ 更新結果送信部
３００ 広告会社端末
４００ 制作会社端末
５００ 営放システム
５１０ メタデータ記憶部
５２０ メタデータ読出部
５３０ 指令送信部
５４０ エラー処理部
５５０ 表示部
６００ 広告管理サーバ
【図１】
0005403692.tif 000002
【図２】
0005403692.tif 000003
【図３】
0005403692.tif 000004
【図４】
0005403692.tif 000005
【図５】
0005403692.tif 000006
【図６】
0005403692.tif 000007
【図７】
0005403692.tif 000008
【図８】
0005403692.tif 000009
【図９】
0005403692.tif 000010